(57)【要約】【課題】  アンテナに落雷した際に生ずる雷サージから、該アンテナに接合される無線設備を保護する避雷設備端子箱を提供する。【解決手段】  アンテナ４に接合された第１の給電線１０と、無線設備５に接合された第２の給電線２０とを連結する給電線連結手段１と、接地極６に接合された第１の導線３０と接合する導線接合手段２と、前記給電線連結手段１と前記導線接合手段２とを電気的、機械的に接合する継手手段３とを備え、給電線連結手段１は、落雷により発生した雷サージの第２の給電線２０への流れを制御することにより、無線設備５を落雷から保護する。【選択図】  図１
2005317472.tif 000002
【特許請求の範囲】
【請求項１】
建造物に設置され、雷撃から建造物およびその建造物に配設される機器を保護する避雷設備の避雷設備端子箱であって、
一方の給電線と、他方の給電線とを連結する給電線連結手段が設けられ、
一端が接地極に接合された導線と接合する導線接合手段が設けられ、
前記給電線連結手段と前記導線接合手段とを電気的、機械的に接合する継手手段が設けられ、
該避雷設備端子箱は、上記一方の給電線から上記他方の給電線への雷サージを制御するとともに、制御した雷サージを上記接地極に接地させる、
ことを特徴とする避雷設備端子箱。
【請求項２】
請求項１に記載の避雷設備端子箱において、
前記給電線連結手段には、上記一方の給電線と接合する第１の給電線接合手段が設けられ、
上記他方の給電線と接合する第２の給電線接合手段が設けられ、
前記第１の給電線接合手段および前記第２の給電線接合手段に接合され、かつ、上記接地極に接合される過電流制御手段が設けられ、
該給電線連結手段は、上記一方の給電線と上記他方の給電線とを電気的、機械的に接合する、
ことを特徴とする避雷設備端子箱。
【請求項３】
請求項２に記載の避雷設備端子箱において、
前記過電流制御手段は、電波と雷サージとを分離処理するとともに、その分離処理後は該過電流制御手段を自動的に雷サージ処理前の状態に戻す、
ことを特徴とする避雷設備端子箱。
【請求項４】
請求項１に記載の避雷設備端子箱において、
前記給電線連結手段が、略円柱状の避雷器であり、前記導線接合手段が、上記導線を圧着固定するＩ型接続端子であり、前記継手手段が、略長方形平板形状の結合器であり、
前記結合器には、前記避雷器が挿着される略Ｕ字型断面形状の挿着器が設けられ、
前記避雷器と前記Ｉ型接続端子とを電気的に接合する略長方形平板形状の導体板が設けられ、
前記導体板が載置され、前記挿着器を固定する雌ネジ部と、前記Ｉ型接続端子を接合するネジ部材とを有する略長方形平板形状の基板が設けられ、
該結合器は、前記避雷器と前記Ｉ型接続端子とを電気的、機械的に接合する、
ことを特徴とする避雷設備端子箱。
【請求項５】
請求項４に記載の避雷設備端子箱において、
前記避雷器は、給電線を連結するものであり、
前記避雷器には、一方の給電線が螺着接合される第１の螺着部が設けられ、
他方の給電線が螺着接合される第２の螺着部が設けられ、
該避雷器は、上記一方の給電線と上記他方の給電線とを電気的、機械的に接合する、
ことを特徴とする避雷設備端子箱。
【請求項６】
請求項５に記載の避雷設備端子箱において、
前記避雷器は、電波と雷サージとを分離処理するとともに、その分離処理後は該避雷器を自動的に雷サージ処理前の状態に戻す、
ことを特徴とする避雷設備端子箱。
【請求項７】
請求項４記載の避雷設備端子箱において、
前記Ｉ型接続端子は、上記導線を前記結合器に接合するものであり、
該Ｉ型接続端子には、導線が挿入される導線挿着部が設けられ、
前記導線挿着部に螺着される蓋体部が設けられた、
ことを特徴とする避雷設備端子箱。
【発明の詳細な説明】
【技術分野】
【０００１】
本発明は、建造物およびその建造物に配設される機器を落雷から保護する避雷設備において、アンテナと無線設備（例えば、テレビ受像機）とを接合する給電線に配置され、上記無線設備を落雷から保護する避雷設備端子箱に関する。
【背景技術】
【０００２】
従来の技術として、避雷設備端子箱の引用すべき文献は見当たらなかったが、同軸ケーブル用避雷器に係る技術があり、周知の事実となっている（例えば、特許文献１参照。）。
【０００３】
以下、従来の同軸ケーブル用避雷器について図を参照して説明する。
図２１は、従来の同軸ケーブル用避雷器の側面図であり、図に示すように、従来の同軸ケーブル用避雷器は、建造物の壁面部２１に開口部２２を設け、貫通孔（図示せず）を加工した板材２３を開口部２２にネジ部材２４を用いて取付ける。そして、上記貫通孔（図示せず）に避雷器本体１１を挿入し、接続用結合部１２の雄ネジ部１３にナット１４を螺着させて避雷器本体１１を板材２３に固定する。
【０００４】
そして、一端をアンテナに接合した第１の給電線１０をフランジコネクタ１５に挿着固定し、該フランジコネクタ１５をネジ部材１６によって避雷器本体１１のフランジ部１７に接続し、かつ、一端を無線設備５に接合した第２の給電線２０にコネクタ１８を挿着固定し、該コネクタ１８を避雷器本体１１の接続用結合部１２に接合し、また、避雷器本体１１の一方の極１９を、第１の導線３０を介して集中接地板４０に接地させることにより該一方の極１９で電位差が生じないようにしたものである。
【特許文献１】特開２００３−３０４６３１号公報（第１−８頁、第１図）
【発明の開示】
【発明が解決しようとする課題】
【０００５】
しかし、上述のように構成された従来の同軸ケーブル用避雷器は、建造物の壁面部に開口を設け、該開口部に貫通板を設けて取付けるため、作業手間が多い。また、避雷設備工事以外の作業（例えば、躯体工事作業）の進捗状況に左右され易い。また、鉄筋コンクリート造では、当該同軸ケーブル用避雷器を設ける壁面部が建造物の構造耐力上必要不可欠な耐力壁である場合には、所望する壁面部に所定の開口部を設けることが不可能な場合がある。また、鉄骨造では、所定の開口部を設けるに際して一定の制限（例えば、梁成の１／３以下）がある。また、所定の位置に開口部が設けられない場合、アンテナから接地極までの経路が長くなるといった問題がある。
【０００６】
本発明は、以上のような問題を鑑みてなされたものであり、避雷設備工事が他の該避雷設備工事以外の作業進捗状況に影響されにくく、建造物の構造主体（例えば、木造、鉄筋コンクリート造、鉄骨造）に左右されずに容易に取付けることができ、無線設備や接地極等の配置変更に容易に対応することができる避雷設備端子箱を提供することを目的とする。
【課題を解決するための手段】
【０００７】
前記課題を解決するために、本発明の請求項１に係る避雷設備端子箱は、建造物に設置され、雷撃から建造物およびその建造物に配設される機器を保護する避雷設備の避雷設備端子箱であって、一方の給電線と、他方の給電線とを連結する給電線連結手段が設けられ、一端が接地極に接合された導線と接合する導線接合手段が設けられ、前記給電線連結手段と前記導線接合手段とを電気的、機械的に接合する継手手段が設けられ、該避雷設備端子箱は、上記一方の給電線から上記他方の給電線への雷サージを制御するとともに、制御した雷サージを上記接地極に接地させる、ことを特徴とするものである。
【０００８】
また、本発明の請求項２に係る避雷設備端子箱は、請求項１に記載の避雷設備端子箱において、前記給電線連結手段には、上記一方の給電線と接合する第１の給電線接合手段が設けられ、上記他方の給電線と接合する第２の給電線接合手段が設けられ、前記第１の給電線接合手段および前記第２の給電線接合手段に接合され、かつ、上記接地極に接合される過電流制御手段が設けられ、該給電線連結手段は、上記一方の給電線と上記他方の給電線とを電気的、機械的に接合する、ことを特徴とするものである。
【０００９】
また、本発明の請求項３に係る避雷設備端子箱は、請求項２に記載の避雷設備端子箱において、前記過電流制御手段は、電波と雷サージとを分離処理するとともに、その分離処理後は該過電流制御手段を自動的に雷サージ処理前の状態に戻す、ことを特徴とするものである。
【００１０】
また、本発明の請求項４に係る避雷設備端子箱は、請求項１に記載の避雷設備端子箱において、前記給電線連結手段が、略円柱状の避雷器であり、前記導線接合手段が、上記導線を圧着固定するＩ型接続端子であり、前記継手手段が、略長方形平板形状の結合器であり、前記結合器には、前記避雷器が挿着される略Ｕ字型断面形状の挿着器が設けられ、前記避雷器と前記Ｉ型接続端子とを電気的に接合する略長方形平板形状の導体板が設けられ、前記導体板が載置され、前記挿着器を固定する雌ネジ部と、前記Ｉ型接続端子を接合するネジ部材とを有する略長方形平板形状の基板が設けられ、該結合器は、前記避雷器と前記Ｉ型接続端子とを電気的、機械的に接合する、ことを特徴とするものである。
【００１１】
また、本発明の請求項５に係る避雷設備端子箱は、請求項４に記載の避雷設備端子箱において、前記避雷器は、給電線を連結するものであり、前記避雷器には、一方の給電線が螺着接合される第１の螺着部が設けられ、他方の給電線が螺着接合される第２の螺着部が設けられ、該避雷器は、上記一方の給電線と上記他方の給電線とを電気的、機械的に接合する、ことを特徴とする避雷設備端子箱。
【００１２】
また、本発明の請求項６に係る避雷設備端子箱は、請求項５に記載の避雷設備端子箱において、前記避雷器は、電波と雷サージとを分離処理するとともに、その分離処理後は該避雷器を自動的に雷サージ処理前の状態に戻す、ことを特徴とするものである。
【００１３】
また、本発明の請求項７に係る避雷設備端子箱は、請求項４に記載の避雷設備端子箱において、前記Ｉ型接続端子は、上記導線を前記結合器に接合するものであり、該Ｉ型接続端子には、導線が挿入される導線挿着部が設けられ、前記導線挿着部に螺着される蓋体部が設けられた、ことを特徴とするものである。
【発明の効果】
【００１４】
本発明の請求項１に係る避雷設備端子箱によれば、建造物に設置され、雷撃から建造物およびその建造物に配設される機器を保護する避雷設備の避雷設備端子箱であって、一方の給電線と、他方の給電線とを連結する給電線連結手段が設けられ、一端が接地極に接合された導線と接合する導線接合手段が設けられ、前記給電線連結手段と前記導線接合手段とを電気的、機械的に接合する継手手段が設けられ、該避雷設備端子箱は、上記一方の給電線から上記他方の給電線への雷サージを制御するとともに、制御した雷サージを上記接地極に接地させるので、他方の給電線に接合される機器を落雷から容易に保護することが可能となる効果がある。
【００１５】
また、本発明の請求項２に係る避雷設備端子箱によれば、本発明の請求項１に記載の避雷設備端子箱において、上記他方の給電線と接合する第２の給電線接合手段が設けられ、前記第１の給電線接合手段および前記第２の給電線接合手段に接合され、かつ、上記接地極に接合される過電流制御手段が設けられ、該給電線連結手段は、上記一方の給電線と上記他方の給電線とを電気的、機械的に接合するので、施工単価の縮減を図る効果がある。
【００１６】
また、本発明の請求項３に係る避雷設備端子箱によれば、本発明の請求項２に記載の避雷設備端子箱において、前記過電流制御手段は、電波と雷サージとを分離処理するとともに、その分離処理後は該過電流制御手段を自動的に雷サージ処理前の状態に戻すので、落雷後の避雷設備端子箱のメンテナンス作業が容易となる効果がある。
【００１７】
また、本発明の請求項４に係る避雷設備端子箱によれば、請求項１に記載の避雷設備端子箱において、前記給電線連結手段が、略円柱状の避雷器であり、前記導線接合手段が、上記導線を圧着固定するＩ型接続端子であり、前記継手手段が、略長方形平板形状の結合器であり、前記結合器には、前記避雷器が挿着される略Ｕ字型断面形状の挿着器が設けられ、前記避雷器と前記Ｉ型接続端子とを電気的に接合する略長方形平板形状の導体板が設けられ、前記導体板が載置され、前記挿着器を固定する雌ネジ部と、前記Ｉ型接続端子を接合するネジ部材とを有する略長方形平板形状の基板が設けられ、該結合器は、前記避雷器と前記Ｉ型接続端子とを電気的、機械的に接合するので、避雷設備端子箱の品質管理が容易となる効果がある。
【００１８】
また、本発明の請求項５に係る避雷設備端子箱によれば、請求項４に記載の避雷設備端子箱において、前記避雷器は、給電線を連結するものであり、前記避雷器には、一方の給電線が螺着接合される第１の螺着部が設けられ、他方の給電線が螺着接合される第２の螺着部が設けられ、該避雷器は、上記一方の給電線と上記他方の給電線とを電気的、機械的に接合するので、施工単価の縮減を図る効果がある。
【００１９】
また、本発明の請求項６に係る避雷設備端子箱によれば、請求項５に記載の避雷設備端子箱において、前記避雷器は、電波と雷サージとを分離処理するとともに、その分離処理後は該避雷器を自動的に雷サージ処理前の状態に戻すので、避雷設備のメンテナンス作業が容易となる効果がある。
【００２０】
また、本発明の請求項７に係る避雷設備端子箱によれば、請求項４に記載の避雷設備端子箱において、前記Ｉ型接続端子は、上記導線を前記結合器に接合するものであり、該Ｉ型接続端子には、導線が挿入される導線挿着部が設けられ、前記導線挿着部に螺着される蓋体部が設けられたので、施工単価の縮減を図る効果がある。
【発明を実施するための最良の形態】
【００２１】
以下、本発明の各実施の形態を、図面を参照しながら説明する。
（実施の形態１）
先ず、本発明の実施の形態１に係る避雷設備端子箱の構成について説明する。図１は、本発明の実施の形態１に係る避雷設備端子箱の全体ブロック図、図２は、給電線連結手段のブロック図、図３は、本発明の実施の形態１に係る避雷設備端子箱の蓋体部を外したときの正面図、図４は、本発明の実施の形態１に係る避雷設備端子箱の底面図をそれぞれ示す。
【００２２】
本発明の実施の形態１に係る避雷設備端子箱には、図１に示すように、給電線連結手段１と、導線接合手段２と、継手手段３とが備えられ、給電線連結手段１は、第１の給電線１０と第２給電線２０とを連結するものであり、一端がアンテナ４に接合された第１の給電線１０の他端と、一端が無線設備５に接合された第２の給電線２０の他端とを電気的、機械的に連結する。導線接合手段２は、一端が接地極６に接合された第１の導線３０の他端を継手手段３に電気的、機械的に接合するものである。継手手段３は、給電線連結手段１と導線接合手段２とを電気的、機械的に接合するものである。そして、給電線連結手段１と導線接合手段２とが継手手段３により一体化されて、本実施の形態１に係る避雷設備端子箱に収納される。
【００２３】
給電線連結手段１には、図２に示すように、第１の給電線接合手段１ａと、第２の給電線接合手段１ｃと、過電流制御手段１ｂとが設けられ、第１の給電線接合手段１ａは、第１の給電線１０を当該給電線連結手段１に電気的、機械的に接合するものであり、第２の給電線接合手段１ｃは、第２の給電線２０を当該給電線連結手段１に電気的、機械的に接合するものであり、過電流制御手段１ｂは、第１の給電線接合手段１ａと、第２の給電線接合手段１ｃと、接地極６とに接合され、落雷により発生した雷サージを接地極６に接地させる。
【００２４】
また、本発明の実施の形態１に係る避雷設備端子箱のより詳細な構成は、図３と図４の各図に示すように、主として、避雷器１００と、接合器１１０と、Ｉ型接続端子１２０と、第１の結合器１３０と、第２の結合器１４０と、第１のパッキング１５０と、第２のパッキング１６０と、筐体１７０と、蓋体部１７４とが備えられ、避雷器１００とＩ型接続端子１２０とが接合器１１０によって一体化されて筐体１７０の背面板内壁部のほぼ中央部に収納され、筐体１７０の、一側の短辺部に第１の給電線（図示せず）が挿入される穴部１７１に第１のパッキング１５０が嵌着され、他側の短辺部に第２の給電線（図示せず）が挿入される穴部１７２に第１のパッキング１５０、また、第１の導線（図示せず）が挿入される穴部１７３に第２のパッキング１６０がそれぞれ嵌着され、筐体１７０の正面開口部に蓋体部１７４が嵌着される。
【００２５】
図５は、本発明の実施の形態１に係る避雷設備端子箱の、給電線と結合器、および、結合器と避雷器の各取付け状態を示す図であり、図５（ａ）は、第１の給電線と第２の給電線を避雷器によって連結する前の正面図、図５（ｂ）は、第１の給電線と第２の給電線を連結した避雷器を結合器に挿着する状態図をそれぞれ示す。避雷器１００は、落雷により発生した雷サージを制御し、かつ、第１の給電線１０と第２の給電線２０とを連結する略円柱状のものであり第１の螺着部１０１と第２の螺着部１０２とを有する。第１の結合器１３０および第２の結合器１４０は上記各給電線を挿着固定して、該各給電線と避雷器１００とを、電気的、かつ、機械的に接合するＦ型コネクタであり、図５（ａ）に示すように、第１の結合器１３０は、第１の給電線１０を第１の螺着部１０１に、第２の結合器１４０は、第２の給電線２０を第２の螺着部１０２にそれぞれ螺着させることにより第１の給電線１０と第２の給電線２０とが連結される。第１の給電線１０と第２の給電線２０とを連結した避雷器１００は、図５（ｂ）に示すように、接合器１１０に取付く挿着器１１４に挿着固定される。
【００２６】
図６は、本発明の実施の形態１に係る避雷設備端子箱の結合器の部分詳細図であり、図６（ａ）は、導体板の正面図、図６（ｂ）は、厚板状絶縁板の正面図、図６（ｃ）は、薄板状絶縁板の正面図、図６（ｄ）は、結合器の平断面形状をそれぞれ示す。接合器１１０は、避雷器１００とＩ型接続端子１２０とを電気的、かつ、機械的に接合する略平板状のものであり、図６および図５（ｂ）の各図に示すように、略長方形平面形状の導体板１１１と、平面形状が導体板１１１と略一致する厚板状の厚板状絶縁板１１２と、平面形状が導体板１１１と略一致する薄板状の薄板状絶縁板１１３と、略Ｕ字型断面形状の挿着器１１４と、ネジ１１６とで構成されている。
【００２７】
導体板１１１には、図６（ａ）に示すように、該導体板１１１のほぼ重心部と一側の短辺部近傍とにネジ穴１１１１を２箇所ずつ、計４箇所備え、他側の短辺部近傍にネジ穴１１１２を２箇所備え、厚板状絶縁板１１２には、図６（ｂ）に示すように、雌ネジ部１１２１が前記ネジ穴１１１１、雌ネジ部１１２２が前記ネジ穴１１１２とそれぞれ略一致させて設けられ、図６（ｄ）に示すように、ネジ１１６を厚板状絶縁板１１２の背面部側から雌ネジ部１１２２に螺着させ、該背面部に薄板状絶縁板１１３を、接着材（図示せず）を用いて貼り合せた基板１１７とし、該基板１１７の厚板状絶縁板側に導体板１１１が載置される。
【００２８】
挿着器１１４は導体であり、図５（ｂ）に示すように、ネジ１１５をもちいて接合器１１０に固定され、該挿着器１１４に避雷器１００を挿着固定することにより避雷器１００と導体板１１１とを電気的、かつ、機械的に接合する。
【００２９】
図７は、本発明の実施の形態１に係る避雷設備端子箱のＩ型接続端子の詳細図であり、図７（ａ）は、Ｉ型接続端子の導線挿入部の正面図、図７（ｂ）は、Ｉ型接続端子の導線挿入部の平面図、図７（ｃ）は、接続端子の蓋体部の正面図、図７（ｄ）は、Ｉ型接続端子の蓋体部の右側面図をそれぞれ示す。Ｉ型接続端子１２０は、一端が接地極６に接合される第１の導線（図示せず）の他端を圧着固定して、前記第１の導線（図示せず）を接合器１１０に電気的、かつ、機械的に接合する略Ｉ型平面形状を有する接続端子であり、図７の各図に示すように、当該Ｉ型接続端子１２０には、導線が挿入される導線挿入部１２１と、導線挿入部１２１に挿入された第１の導線（図示せず）を圧着固定する蓋体部１２２とが備えられている。
【００３０】
導線挿入部１２１は、図７（ａ）に示すように、平板部１２１１と、軸部１２１２と、勾配部１２１３とを有する。勾配部１２１３は、平板部１２１１と軸部１２１２との中間部に位置し、平板形状から円筒形状に変換させる。軸部１２１２は円筒状に加工され、その外周面に勾配を有する雄ネジ部１２１２ａと、軸方向に沿って先割り部１２１２ｂとが加工されている。平板部１２１１にはネジ穴１２１１ａが加工され、結合器６のネジ１１６に挿着される。
【００３１】
蓋体部１２２は、図７（ｂ）に示すように、頭部１２２１と、軸部１２２２とを有し、軸部１２２２の内壁面の一部に雌ネジ部１２２３が加工された円筒状の雌ネジであり、頭部１２２１及び軸部１２２２の内壁面に勾配を有する。
【００３２】
当該Ｉ型接続端子１２０は、第１の導線（図示せず）を軸部１２１２の円筒内へ挿入し、雄ネジ部１２１２ａに蓋体部１２２を螺着させることより先割り部１２１２ｂの間隔が狭くなり、軸部１２１２が半径方向に圧縮されて前記第１の導線（図示せず）が圧着固定され、平板部１２１１のネジ穴１２１１ａを接合器１１０のネジ１１６に挿着させ、ナットと座金からなるネジ部材１１８を用いて接合器１１０に接合される。
【００３３】
図８は、本発明の実施の形態１に係る避雷設備端子箱の第１のパッキングであり、図８（ａ）は、第１のパッキングの側面図、図８（ｂ）は、第１のパッキングの平面図をそれぞれ示す。第１のパッキング１５０は、第１の給電線１０もしくは第２の給電線２０を伝って、筐体１７０に雨水等の水分浸入を防止する略円筒状の止水部材であり、図８の各図に示すように、外周壁中央部に環状の括れ部１５１を有する。該括れ部１５１を穴部１７１および穴部１７２に嵌合させる。
【００３４】
図９は、本発明の実施の形態１に係る避雷設備端子箱の第２のパッキングを示す図であり、図９（ａ）は、第２のパッキングの平断面図、図９（ｂ）は、第２のパッキングの平面図、図９（ｃ）は、第２のパッキングの左側面図、図９（ｄ）は、第２のパッキングの右側面図をそれぞれ示す。第２のパッキング１６０は、第１の導線（図示せず）を伝って、筐体１７０の内部に雨水等の水分浸入を防止するものであり、螺着部材１６１と、挟着部材１６２と、挿着部材１６３と、円筒部材１６４と、止水部材１６５とを備え、一体化されている。螺着部材１６１は、中空部１６１１を有する略凸型平面形状のものであり、底部１６１２の側面形状が略八角形とされ、先端部周壁部１６１３には雄ネジ部１６１４が加工されている。挟着部材１６２は、中空部１６２１を有し、円筒状に加工されたものである。挿着部材１６３は、平面形状が略凸形状のものであり、中空部１６３１を有し、底部１６３２の側面形状が略八角形とされ、底部内壁面１６３３に雌ネジ部１６３４が加工されている。円筒部材１６４は、略円筒型形状を有し、側面部１６４１の中心部に略円形状の開口部１６４２が設けられたものである。止水部材１６５は、略円筒型形状を有し、該止水部材の外周壁中央部に環状の括れ部１６５１を有する。
【００３５】
当該第２のパッキング１６０は、螺着部材１６１の先端部を筐体１７０の内壁面側から穴部１７３に挿入し、筐体１７０の外壁面から突出した螺着部材１６１の雄ネジ部１６１４に、挟着部材１６２を挿入する。筐体１７０への螺着部材１６１の挿入と並行させて、止水部材１６５を円筒部材１６４の開口部１６４２に嵌着し、その円筒部材１６４を挿着部材１６３の先端部１６３５に挿着して接着材（図示せず）により固定し、止水部材１６５と円筒部材１６４と挿着部材１６３とを一体化させる。その一体化された挿着部材１６３の雌ネジ部１６３４を、前記螺着部材１６１の雄ネジ部１６１４に螺着させてもちいる。
【００３６】
次に、本発明の実施の形態１に係る避雷設備端子箱の設置にあたってもちいる、Ｔ型分岐端子１８０とＬ型接続端子１９０について、図１３と図１４の各図を参照して説明する。
【００３７】
図１３は、本発明の実施の形態１に係る避雷設備端子箱の設置にあたってもちいるＴ型分岐端子の詳細図であり、図１３（ａ）は、Ｔ型分岐端子の正面図、図１３（ｂ）は、Ｔ型分岐端子の側面図をそれぞれ示す。図１３の各図に示すように、Ｔ型分岐端子１８０には、第２の導線３１が挿入される導線挿入部１８１と、導線挿入部１８１に挿入された第２の導線３１を圧着固定する蓋体部１８２とを備え、蓋体部１８２は、前記Ｉ型接続端子１２０の蓋体部１２２と同等のものである。導線挿入部１８１には、平板部１８１１と、軸部１８１２と、勾配部１８１３とを有し、前記Ｉ型接続端子１２０が、平板部１２１１の長辺方向と軸部１２１２の円筒軸方向とが略一致して略Ｉ字型平面形状とするのに対し、当該Ｔ型分岐端子１８０は、平板部１８１１の長軸方向と軸部１８１２の円筒軸方向とがほぼ直交する略Ｔ字型形状のものであり、一端が接地極（図示せず）に接合される第２の導線３１の他端を圧着固定して、該第２の導線３１を電気的、かつ、機械的にアンテナ支持器２００にネジ部材１８４によって接合させる接続端子である。
【００３８】
図１４は、本発明の実施の形態１に係る避雷設備端子箱の設置にあたってもちいる、Ｌ型接続端子の詳細図である。図に示すように、Ｌ型接続端子１９０は、第２の導線３１に第１の導線３０を略Ｔ字型形状に電気的、かつ、機械的に接続する略Ｌ字型平面形状を有する接続端子であり、導線挿入部１９１と蓋体部１９２とを備え、蓋体部１９２は、前記Ｉ型接続端子１２０の蓋体部１２２および前記Ｔ型分岐端子１８０の蓋体部１８２と同等のものである。導線挿入部１９１には、第１の導線３０が挿入される第１の導線挿入部１９１１と、第２の導線３１が貫通する第２の導線挿入部１９１２と、第１の導線挿入部１９１１と第２の導線挿入部１９１２とが交差する交差部１９１３とを有し、第１の導線挿入部１９１１には、外周面に勾配を有する雄ネジ部１９１１ａと、軸方向に沿って先割り部１９１１ｂと、円筒形状の第１の導線挿入中空部１９１３ａとが加工され、第２の導線挿入部１９１２には、外周面に勾配を有する雄ネジ部１９１２ａと、軸方向に沿って先割り部１９１２ｂと、円筒形状の第２の導線挿入中空部１９１３ｂとが加工され、交差部１９１３には、前記第１の導線挿入中空部１９１３ａに連続する中空部と、前記第２の導線挿入中空部１９１３ｂに連続する中空部とが、それぞれ加工されている。第２の導線３１を、第２の導線挿入中空部１９１３ｂに貫通させ、蓋体部１９２を第２の導線挿入部１９１２の雄ネジ部１９１２ａに螺着させて当該Ｌ型接続端子に圧着固定するとともに、第１の導線３０を、第１の導線挿入中空部１９１３ａに挿入し、蓋体部１９２を第１の導線挿入部１９１１の雄ネジ部１９１１ａに螺着させて、当該Ｌ型接続端子１９０に圧着固定する。
【００３９】
次に、上述のように構成された本発明の実施の形態１に係る避雷設備端子箱の設置例について図１０から図１２の各図を参照して説明する。図１０は、本実施の形態１に係る避雷設備端子箱の設置例の正面図である。図１１は、本実施の形態１に係る避雷設備端子箱の設置例の正面詳細図、図１２は、本実施の形態１に係る避雷設備端子箱の設置例の平面詳細図をそれぞれ示す。
【００４０】
先ず、図１０に示すように、アンテナ４１を取付けたアンテナ支持器２００を、ネジ、アンカーボルトからなるネジ部材２０３を用いてアンテナ支持器取付け台２０１に設置する。次に、図１２に示すように、本実施の形態１に係る避雷設備端子箱をあと施工アンカー２０２１とネジ２０２２からなるネジ部材２０２を用いてアンテナ支持器取付け台２０１に取付け、図１１に示すように、第１のパッキング１５０が取付けられた穴部１７１に第１の給電線１０の先端部を挿入して、該第１の給電線１０の先端部に第１の結合器１３０を挿着固定させ、該第１の結合器１３０を避雷器１００に螺着固定する。第２の給電線２０も前記第１の給電線と同様に第２の結合器１４０をもちいてその避雷器１００に接合する。第１の給電線１０と第２の給電線２０とを連結した避雷器１００を、接合器１１０と一体化された挿着器１１４に挿着固定する。また、本実施の形態１に係る避雷設備端子箱のアンテナ支持器取付け台２０１への取付けと並行して、一端が接地極６に接合された第２の導線３１の中間部にＬ型接続端子１９０を圧着固定させ、該第２の導線３１の他端を、Ｔ型分岐端子１８０を介してアンテナ支持器２００に接合する。
【００４１】
そして、第１の導線３０の一端を、筐体１７０に取付けられた第２のパッキング１６０に挿入してＩ型接続端子１２０を圧着固定させ、該Ｉ型接続端子１２０を、ナットと座金からなるネジ部材１１８をもちいて接合器１１０に接合するとともに、第１の導線３０の他端を前記Ｌ型接続端子１９０に圧着固定させる。これにより避雷設備として機能させることとなる。
【００４２】
次に、上記のように構成された本発明の実施の形態１に係る避雷設備端子箱の動作について説明する。落雷時は、アンテナ４への落雷によって生じた雷サージが第１の給電線１０を介して給電線連結手段１に達する。給電線連結手段１に過電流制御手段１ｂを備えることにより、該過電流制御手段１ｂがその雷サージを第２の給電線２０に接続された無線設備５の絶縁レベル以下に制御する。制御された雷サージは、当該給電線連結手段１および導線接合手段２を介して接地極６に接地される。また、過電流制御手段１ｂには、該過電流制御手段１ｂを落雷前の状態に自動的に戻す自動復元機能が備えられ、無線設備５が落雷から保護されるとともに、雷サ−ジの処理後は、自動的に落雷前の正常な状態に戻る。すなわち、落雷時は、アンテナ４１への落雷によって雷サージが発生する。雷サージは、第１の給電線１０を介して避雷器１００に達する。避雷器１００は、その雷サージを第２の給電線２０に接続されている無線設備５の絶縁レベル以下に制御し、無線設備５が落雷から保護される。また、制御された雷サージは、接合器１１０およびＩ型接続端子１２０を介して接地極６に接地され、雷サ−ジの処理後は、当該避雷設備端子箱を自動的に落雷前の正常な状態に戻す。
【００４３】
以上のように、本発明の実施の形態１に係る避雷設備端子箱は、アンテナ４に接合される第１の給電線１０と、無線設備５に接合される第２の給電線２０とを連結する給電線連結手段１が設けられ、接地極６に接合された第１の導線３０と接合する導線接合手段２が設けられ、給電線連結手段１と導線接合手段２とを電気的、機械的に接合する継手手段３が設けられ、給電線連結手段１は、無線設備５への雷サージを制御するとともに、制御した雷サージを接地極６に接地させるので、所望する位置に容易に給電線および導線を設置することが可能となる。
【００４４】
また、給電線連結手段１には、第１の給電線１０と接合する第１の給電線接合手段１ａが設けられ、第２の給電線２０と接合する第２の給電線接合手段１ｃが設けられ、前記第１の給電線接合手段１ａおよび前記第２の給電線接合手段１ｃに接合され、かつ、接地極６に接合される過電流制御手段１ｂが設けられ、給電線連結手段１０は、第１の給電線１０と第２の給電線２０とを電気的、機械的に接合するので、作業現場での天候に影響されずに前記各給電線を接合することが可能となる。
【００４５】
また、過電流制御手段１ｂは、電波と雷サージとを分離処理するとともに、その分離処理後は該過電流制御手段１ｂを自動的に雷サージ処理前の状態に戻すので、落雷後に、落雷前の元の状態に戻す復旧作業を省くことが可能となる。
【００４６】
また、前記継手手段３は、略長方形平板形状の結合器１１０であり、該結合器１１０には、避雷器１００を挿着する挿着器１１４が設けられ、避雷器１００とＩ型接続端子１２０とを電気的に接合する略長方形型平板形状の導体板１１１が設けられ、導体板１１１が載置され、挿着器１１４を固定するネジ１１５が螺挿される雌ネジ部１１２１と、Ｉ型接続端子１２０を当該結合器１１０に取付けるネジ１１６とを有する略長方形型平板形状の基板１１７が設けられ、該結合器１１０は、Ｉ型接続端子１２０と避雷器１００とを電気的、機械的に接合するので、本発明の実施の形態１に係る避雷設備端子箱を工場において一括生産することが可能となる。
【００４７】
また、給電線連結手段１は略円柱形状の避雷器１００であり、該避雷器１００には、第１の給電線１０を螺着接合させる第１の螺着部１０１が設けられ、第２の給電線２０を螺着接合させる第２の螺着部１０２が設けられ、該避雷器１００は、上記各給電線を電気的、機械的に接合するので、作業現場での天候に影響されずに前記各給電線を避雷器１００に接合することが可能となる。
【００４８】
また、避雷器１００は、電波と雷サージとを分離処理するとともに、その分離処理後は該避雷器を自動的に雷サージ処理前の状態に戻す自動復元機能を有するので、落雷時の復旧作業を省くことが可能となる。
【００４９】
また、導線接合手段２は、略Ｉ型平面形状のＩ型接続端子１２０であり、該Ｉ型接続端子１２０には、第１の導線３０が挿入される導線挿着部１２１が設けられ、導線挿着部１２１に螺着される蓋体部１２２が設けられるので、該Ｉ型接続端子１２０は、上記導線を蓋体部により導線挿着部に圧着固定することができ、熟練を要する溶接作業を必要としない避雷設備端子箱の提供が可能となる。
【００５０】
なお、本発明の実施の形態１に係る避雷設備端子箱に接合されるアンテナは、八木式アンテナとしたが、図１５に示すように、パラボラ式アンテナとしてもよく、本実施の形態１に限定されるものではない。
【００５１】
また、本発明の実施の形態１に係る避雷設備端子箱の取付け手順は、アンテナ４１に接合された第１の給電線１０と、無線設備５に接合された第２の給電線２０とが避雷器１００により連結され、接地極６に接合される第１の導線３０がＩ型接続端子１２０により結合器に接合され、さらに、前記Ｉ接続端子１２０が前記避雷器１００と電気的、機械的に接合されればよく、本実施の形態１に限定されるものではない。
【００５２】
（実施の形態２）
本発明の実施の形態２に係る避雷設備端子箱は、上述の実施の形態１に係る避雷設備端子箱が、第１の給電線１０と第２の給電線２０とを１対１で接合したのに対し、第１の給電線１０と第２の給電線２０とを１対１で接合し、かつ、第３の給電線１０ａと第４の給電線２０ａとを１対１にて接合する、複数給電線接合型避雷設備端子箱であり、上述の実施の形態１に係る避雷設備端子箱と同じまたは同等の機能を有するものについては同符号を記し、詳細な説明は省略する。
【００５３】
先ず、本発明の実施の形態２に係る避雷設備端子箱のより詳細な構成について、図１６と図１７の各図を参照して説明する。図１６は、本発明の実施の形態２に係る避雷設備端子箱の蓋体部を外したときの正面図であり、図１７は、本発明の実施の形態２に係る避雷設備端子箱の底面図である。各図に示すように、本発明の実施の形態２に係る避雷設備端子箱のより詳細な構成は、主として、避雷器１００と、避雷器１００ａと、挿着器１１４と、挿着器１１４ａと、接合器１１０と、Ｉ型接続端子１２０と、第１の結合器１３０と、第２の結合器１４０と、第３の結合器１３１と、第４の結合器１４１と、第１のパッキング１５０と、第２のパッキング１６０と、筐体１７０と、蓋体部１７４とが備えられている。
【００５４】
したがって、避雷器１００ａと、挿着器１１４ａと、第３の結合器１３１と、第４の結合器１４１について説明する。避雷器１００ａは、避雷器１００と同等のものであり、第３の給電線（図示せず）と第４の給電線（図示せず）とを連結する。挿着器１１４ａは、挿着器１１４と同等のものであり、避雷器１００ａが挿着される。第３の結合器１３１は、第１の結合器１３０と同等のものであり、第３の給電線（図示せず）を避雷器１００ａに接合する。第４の結合器１４１は、第１の結合器１３０と同等のものであり、第４の給電線（図示せず）を避雷器１００ａに接合する。
【００５５】
そして、各避雷器およびＩ型接続端子１２０が接合器１１０によって一体化されて筐体１７０の背面板上面部のほぼ中央部に収納される。また、筐体１７０の一側の短辺部には二箇所の穴部１７１が設けられ、その各穴部１７１に第１のパッキング１５０がそれぞれ嵌着され、他側の短辺部には二箇所の穴部１７２と穴部１７３とが設けられ、各穴部１７２には第１のパッキング１５０がそれぞれ嵌着され、穴部１７３には第２のパッキング１６０が取付けられ、筐体１７０の正面開口部に蓋体部１７４が嵌着されている。
【００５６】
上記のように構成された本発明の実施の形態２に係る避雷設備端子箱の設置例について図１８から図２０の各図を参照して説明する。図１８は、本実施の形態２に係る避雷設備端子箱の設置例の正面詳細図、図１９は、本実施の形態２に係る避雷設備端子箱の設置例の平面詳細図、図２０は、本実施の形態２に係る避雷設備端子箱の設置例の全体図をそれぞれ示す。図２０に示すように、アンテナ４１が取付けられたアンテナ支持器２００と、アンテナ４２が取付けられたアンテナ支持器２０４をそれぞれ、ネジ、アンカーボルトからなるネジ部材２０３を用いてアンテナ支持器取付け台２０５に設置する。
【００５７】
前記各アンテナ支持器のアンテナ支持器取付け台への設置と並行して、図１９に示すように本実施の形態２に係る避雷設備端子箱を、あと施工アンカー２０２１を用いてアンテナ支持器取付け台２０５に取付けた後、図１８に示すように、第１の給電線１０および第２の給電線２０を、上述の実施の形態１と同様にして避雷器１００に連結し、その避雷器１００を挿着器１１４に挿着固定し、かつ、第３の給電線１０ａおよび第４の給電線２０ａを避雷器１００ａに連結し、その避雷器１００ａを挿着器１１４ａに挿着固定する。
【００５８】
また、本実施の形態２に係る避雷設備端子箱のアンテナ支持器取付け台２０５への取付けおよび前記各給電線の本実施の形態２に係る避雷設備端子箱への取付けと並行して、図１８に示すように、アンテナ支持器２００およびアンテナ支持器２０４にＴ型分岐端子１８０を取付け、中間部にＬ型接続端子１９０が圧着固定された第３の導線３２を前記各Ｔ型分岐端子１８０間に接合し、該第３の導線３２を導線支持器２０６に支持させる。さらに、第２の導線３１の中間部にＬ型接続端子１９０ａを圧着固定させ、該第２の導線３１の一端を前記Ｌ型接続端子１９０に圧着固定する。
【００５９】
そして、上述の実施の形態１と同様にして、第１の導線３０の一端を接合器１１０に、その他端をＬ型接続端子１９０ａにそれぞれ接合する。これにより避雷設備として機能させることとなる。
【００６０】
次に、上記のように構成された本発明の実施の形態２に係る避雷設備端子箱の動作について説明する。本発明の実施の形態２に係る避雷設備端子箱の動作は、上述の実施の形態１に係る避雷設備端子箱と同じである。落雷時は、各避雷器が、雷サージを無線設備５の絶縁レベル以下に制御して無線設備５を落雷から保護し、雷サ−ジの処理後は、各避雷器は、自動的に落雷前の正常な状態に戻す。
【００６１】
以上のように、本発明の実施の形態２に係る避雷設備端子箱は、第１の給電線１０と第２の給電線２０を連結する給電線連結手段１が設けられ、第３の給電線１０ａと第４の給電線２０ａを連結する給電線連結手段１ｄが設けられ、接地極６に接合された第１の導線３０と接合する導線接合手段２が設けられ、給電線連結手段１および給電線連結手段１ｄと導線接合手段２とを電気的、機械的に接合する継手手段３が設けられ、前記各給電線連結手段は、落雷により発生した雷サージを制御とともに、制御した雷サージを接地極６に接地させるので、複数の給電線を接地極６に接地させることが可能となる。
【００６２】
また、給電線連結手段は、異なる２つの給電線連結手段であり、一方の給電線連結手段には、第１の給電線接合手段１ａと、第２の給電線接合手段１ｃと、前記第１の給電線接合手段１ａおよび前記第２の給電線接合手段１ｃに接合され、かつ、接地極６に接合される過電流制御手段１ｂとが設けられ、もう一方の給電線連結手段には、第３の給電線１０ａと接合する第３の給電線接合手段（図示せず）と、第４の給電線２０ａと接合する第４の給電線接合手段（図示せず）と、前記第３の給電線接合手段（図示せず）および前記第４の給電線接合手段（図示せず）に接合され、かつ、接地極６に接合される過電流制御手段（図示せず）とが設けられ、前記各給電線連結手段は、一方の給電線と他方の給電線とを電気的、機械的に接合するので、複数の給電線であっても作業現場での天候に影響されずに連結することが可能となる。
【００６３】
また、前記各過電流制御手段は、電波と雷サージとを分離処理するとともに、その分離処理後は該過電流制御手段１ｂを自動的に雷サージ処理前の状態に戻すので、複数の給電線を連結する避雷設備端子箱であっても、落雷前の状態に戻す復旧作業を省くことが可能となる。
【００６４】
また、前記継手手段３は、略長方形平板形状の結合器１１０であり、該結合器１１０には、避雷器１００を挿着する挿着器１１４と、避雷器１００ａを挿着する挿着器１１４ａとが設けられ、前記各避雷器とＩ型接続端子１２０とを電気的に接合する略長方形型平板形状の導体板１１１が設けられ、導体板１１１が載置され、前記各挿着器を固定する雌ネジ部１１２１と、Ｉ型接続端子１２０を当該結合器１１０に取付けるネジ１１６とを有する略長方形型平板形状の基板１１７が設けられ、該結合器１１０は、前記各避雷器とＩ型接続端子１２０とを電気的、機械的に接合するので、複数の給電線を連結する避雷設備端子箱であっても工場において一括生産することが可能となる。
【００６５】
また、給電線連結手段は、異なる２つの避雷器であり、一方の避雷器１００には、第１の給電線１０が接合される第１の螺着部１０１が設けられ、第２の給電線２０が接合される第２の螺着部１０２が設けられ、もう一方の避雷器１００ａには、第３の給電線１０ａが接合される第１の螺着部１０１が設けられ、第４の給電線２０ａが接合される第２の螺着部１０２が設けられるので、複数の給電線を連結する避雷設備端子箱であっても、作業現場での天候に影響されずに前記各給電線を各避雷器に接合させることが可能となる。
【００６６】
また、避雷器１００および避雷器１００ａは、電波と雷サージとを分離処理するとともに、その分離処理後は該避雷器を自動的に雷サージ処理前の状態に戻す自動復元機能を有するので、落雷時の復旧作業を省くことが可能となる。
【００６７】
また、導線接合手段２は、略Ｉ型平面形状のＩ型接続端子１２０であり、該Ｉ型接続端子１２０には、第１の導線３０が挿入される導線挿着部１２１が設けられ、導線挿着部１２１に螺着される蓋体部１２２が設けられ、該Ｉ型接続端子１２０は、上記導線を蓋体部により導線挿着部に圧着固定することができ、熟練を要する溶接作業を必要としない避雷設備端子箱の提供が可能となる。
【００６８】
なお、本発明の実施の形態２に係る避雷設備端子箱の設置は、アンテナ４１に接合された第１の給電線１０と、無線設備５に接合された第２の給電線２０とが避雷器１００により連結され、アンテナ４２に接合された第３の給電線１０ａと、無線設備５に接合された第４の給電線２０ａとが避雷器１００ａにより連結され、接地極６に接合された第１の導線３０がＩ型接続端子１２０により接合器１１０に接合され、さらに、前記Ｉ接続端子１２０が、前記避雷器１００および前記避雷器１００ａに接合されるとともに、前記第１の導線３０がアンテナ支持器２００とアンテナ支持器２０４とを接合する第３の導線３２から分岐する第２の導線３１に接合されればよく、本実施の形態２に限定されるものではない。
【産業上の利用可能性】
【００６９】
本発明に係る避雷設備端子箱は、建造物を構成する構造躯体（例えば、梁、耐震壁）に開口部が制限される場合に有用である。
【図面の簡単な説明】
【００７０】
【図１】実施の形態１に係る避雷設備端子箱の全体ブロック図である。
【図２】実施の形態１に係る避雷設備端子箱の給電線連結手段のブロック図である。
【図３】実施の形態１に係る避雷設備端子箱の蓋体部を外したときの正面図である。
【図４】実施の形態１に係る避雷設備端子箱の底面図である。
【図５（ａ）】実施の形態１に係る避雷設備端子箱の、第１の給電線と第２の給電線と避雷器によって連結する前の状態を示す正面図である。
【図５（ｂ）】実施の形態１に係る避雷設備端子箱の、第１の給電線と第２の給電線と連結した避雷器を結合器に挿着する状態図である。
【図６（ａ）】実施の形態１に係る避雷設備端子箱の、導体板の正面図である。
【図６（ｂ）】実施の形態１に係る避雷設備端子箱の、厚板状絶縁板の正面図である。
【図６（ｃ）】実施の形態１に係る避雷設備端子箱の、薄板状絶縁板の正面図である。
【図６（ｄ）】実施の形態１に係る避雷設備端子箱の、結合器の平断面形状を示す図である。
【図７（ａ）】実施の形態１に係る避雷設備端子箱の、Ｉ型接続端子の導線挿入部の正面図である。
【図７（ｂ）】実施の形態１に係る避雷設備端子箱の、Ｉ型接続端子の導線挿入部の平面図である。
【図７（ｃ）】実施の形態１に係る避雷設備端子箱の、接続端子の蓋体部の正面図である。
【図７（ｄ）】実施の形態１に係る避雷設備端子箱の、Ｉ型接続端子の蓋体部の右側面図である。
【図８（ａ）】実施の形態１に係る避雷設備端子箱の、第１のパッキングの側面図である。
【図８（ｂ）】実施の形態１に係る避雷設備端子箱の、第１のパッキングの平面図である。
【図９（ａ）】実施の形態１に係る避雷設備端子箱の、第２のパッキングの平断面図である。
【図９（ｂ）】実施の形態１に係る避雷設備端子箱の、第２のパッキングの平面図である。
【図９（ｃ）】実施の形態１に係る避雷設備端子箱の、第２のパッキングの左側面図である。
【図９（ｄ）】実施の形態１に係る避雷設備端子箱の、第２のパッキングの右側面図である。
【図１０】実施の形態１に係る避雷設備端子箱の、設置例の正面図である。
【図１１】実施の形態１に係る避雷設備端子箱の、設置例の正面詳細図である。
【図１２】実施の形態１に係る避雷設備端子箱の、設置例の平面詳細図である。
【図１３（ａ）】実施の形態１に係る避雷設備端子箱の設置にあたってもちいる、Ｔ型分岐端子の正面図である。
【図１３（ｂ）】実施の形態１に係る避雷設備端子箱の設置にあたってもちいる、Ｔ型分岐端子の側面図である。
【図１４】実施の形態１に係る避雷設備端子箱の設置にあたってもちいる、Ｌ型分岐端子正面図である。
【図１５】実施の形態１に係る避雷設備端子箱の、パラボラアンテナに設置時の全体図である。
【図１６】実施の形態２に係る避雷設備端子箱の、蓋体部を外したときの正面図である。
【図１７】実施の形態２に係る避雷設備端子箱の、底面図である。
【図１８】実施の形態２に係る避雷設備端子箱の、設置例の正面詳細図である。
【図１９】実施の形態２に係る避雷設備端子箱の、設置例の平面詳細図である。
【図２０】実施の形態２に係る避雷設備端子箱の、設置例の全体図である。
【図２１】従来の同軸ケーブル用避雷器の側面図である。
【符号の説明】
【００７１】
１，１ｄ  給電線連結手段
１ａ  第１の給電線接合手段
１ｂ  過電流制御手段
１ｃ  第２の給電線接合手段
２  導線接合手段
３  継手手段
４，４１，４２  アンテナ
５  無線設備
６  接地極
１０  第１の給電線
１０ａ  第３の給電線
１１  避雷器本体
１２  接続用結合部
１３  雄ネジ部
１４  ナット
１５  フランジコネクタ
１６  ネジ部材
１７  フランジ部
１８  コネクタ
１９  一方の極
２０  第２の給電線
２０ａ  第４の給電線
２１  壁面部
２２  開口部
２３  板材
２４  ネジ部材
３０  第１の導線
３１  第２の導線
３２  第３の導線
１００，１００ａ  避雷器
１０１  第１の螺着部
１０２  第２の螺着部
１１０  接合器
１１１  導体板
１１１１，１１１２  ネジ穴
１１２  厚板状絶縁板
１１２１，１１２２  雌ネジ部
１１３  薄板状絶縁板
１１４，１１４ａ  挿着器
１１５，１１６  ネジ
１１７  基板
１１８  ネジ部材
１２０  Ｉ型接続端子
１２１，１８１  導線挿入部
１２１１，１８１１  平板部
１２１１ａ  ネジ穴
１２１２，１８１２  軸部
１２１２ａ  雄ネジ部
１２１２ｂ  先割り部
１２１３，１８１３  勾配部
１２２，１８２，１９２  蓋体部
１２２１  頭部
１２２２  軸部
１２２３  雌ネジ部
１３０  第１の結合器
１３１  第３の結合器
１４０  第２の結合器
１４１  第４の結合器
１５０  第１のパッキング
１５１  括れ部
１６０  第２のパッキング
１６１  螺着部材
１６１１，１６２１，１６３１  中空部
１６１２，１６３２  底部
１６１３  先端部周壁部
１６１４  雄ネジ部
１６２  挟着部材
１６３  挿着部材
１６３３  底部内壁面
１６３４  雌ネジ部
１６３５  先端部
１６４  円筒部材
１６４１  側面部
１６４２  開口部
１６５  止水部材
１６５１  括れ部
１７０  筐体
１７１，１７２，１７３  穴部
１７４  蓋体部
１８０  Ｔ型分岐端子
１８４  ネジ部材
１９０，１９０ａ  Ｌ型接続端子
１９１  導線挿入部
１９１１  第１の導線挿入部
１９１１ａ，１９１２ａ  雄ネジ部
１９１１ｂ，１９１２ｂ  先割り部
１９１２  第２の導線挿入部
１９１３  交差部
１９１３ａ  第１の導線挿入中空部
１９１３ｂ  第２の導線挿入中空部
２００，２０４  アンテナ支持器
２０１，２０５  アンテナ支持器取付け台
２０２  ネジ部材
２０２１  あと施工アンカー
２０２２  ネジ
２０３  ネジ部材
２０６  導線支持器
【図１】
2005317472.tif 000003
【図２】
2005317472.tif 000004
【図３】
2005317472.tif 000005
【図４】
2005317472.tif 000006
【図５（ａ）】
2005317472.tif 000007
【図５（ｂ）】
2005317472.tif 000008
【図６（ａ）】
2005317472.tif 000009
【図６（ｂ）】
2005317472.tif 000010
【図６（ｃ）】
2005317472.tif 000011
【図６（ｄ）】
2005317472.tif 000012
【図７（ａ）】
2005317472.tif 000013
【図７（ｂ）】
2005317472.tif 000014
【図７（ｃ）】
2005317472.tif 000015
【図７（ｄ）】
2005317472.tif 000016
【図８（ａ）】
2005317472.tif 000017
【図８（ｂ）】
2005317472.tif 000018
【図９（ａ）】
2005317472.tif 000019
【図９（ｂ）】
2005317472.tif 000020
【図９（ｃ）】
2005317472.tif 000021
【図９（ｄ）】
2005317472.tif 000022
【図１０】
2005317472.tif 000023
【図１１】
2005317472.tif 000024
【図１２】
2005317472.tif 000025
【図１３（ａ）】
2005317472.tif 000026
【図１３（ｂ）】
2005317472.tif 000027
【図１４】
2005317472.tif 000028
【図１５】
2005317472.tif 000029
【図１６】
2005317472.tif 000030
【図１７】
2005317472.tif 000031
【図１８】
2005317472.tif 000032
【図１９】
2005317472.tif 000033
【図２０】
2005317472.tif 000034
【図２１】
2005317472.tif 000035